(57)【要約】      （修正有）【課題】高所部の屋根用カーテンフィルムにおいてフィルム重量のあるもの、若しくは風向き風量等の如何に関わらずカーテンが持ち上がることなく巻き取り操作が確実スムーズにできるシート巻き取り装置を提供する。【解決手段】入力軸と出力軸間に回転伝達手段を組み込んだケーシング３を備え、入力軸が撓曲自在のジョイント金具を介して操作杆７と連動するとともに、出力軸がシートを巻装した巻取軸４を挿着してなる屋根用温室シート巻き取り装置において、ケーシング３側面に取り付けた傾動自在な支承具１１に操作杆７と連動するガイドパイプ１２を挿通し、ガイドパイプ１２の一端が温室に固定した軸受け１４を支点に可動して操作杆７のバランスを保つ。【選択図】図１
0003213537.tif 000002
【実用新案登録請求の範囲】
【請求項１】
入力軸と出力軸間に回転伝達手段を組み込んだケーシングを備え、入力軸が撓曲自在のジョイント金具を介して操作杆と連動するとともに、出力軸がシートを巻装した巻取軸を挿着してなる屋根用温室シート巻き取り装置において、ケーシング側面に取り付けた傾動自在な支承具に操作杆と連動するガイドパイプを挿通し、ガイドパイプの一端が温室に固定した軸受けを支点に可動して操作杆のバランスを保つことを特徴とする屋根用温室シート巻き取り装置。
【考案の詳細な説明】
【技術分野】
【０００１】  本考案は温室シートの巻き取り巻き戻しが、ぶれることなく安定した状態で操作できる屋根用温室シート巻き取り装置に関する。
【背景技術】
【０００２】  植物育成用の温室には、天井、側面、妻面にビニールシートが被覆され、該シートは開閉自在とされて遮光、空気流通、温度調整等が図られている。一般的なものとしては、温室の外側近傍に固定した支柱に巻き取り装置を上下方向移動自在に取り付けたものが知られている。この巻き取り装置はハンドルを操作するとシートを巻装した巻取軸が正逆回転してシートを巻き取り、巻き戻すものであり、それにより温室の所要個所が開閉される仕組みであって、この手法は古くから現在に至るまで踏襲されているが、手作業でハンドルを回す場合は温室の大小、高低によって必ずしもスムーズに作動できるものではなく、操作に熟練を要したり、シートの開閉が所期するほど容易にはなされないといった問題も少なくない。【０００３】  そしてこのような問題解決を目的としたものとして例えば特許文献１には温室のビニルシート開閉装置のジョイント部材が提案され、また特許文献２には温室用シートの巻き取り装置が開示されている。
【先行技術文献】
【特許文献】
【０００４】
【特許文献１】実用新案登録第３１５２７４０号公報
【特許文献２】特開２００２−１０１７６７号公報
【考案の概要】
【考案が解決しようとする課題】
【０００５】  特許文献１に示された技術は、ハンドル操作を楽に行うことのできるシート巻き取り装置のジョイント構造に関するもので、上下部筒状体の内部に撓曲可能なパッキング部材を挿着し、ハンドル操作によって駆動パイプが動かされると下部筒状体が上部筒状体を支点として駆動パイプと同方向に傾動するため駆動パイプと連なるハンドル操作がスムーズとなって長い駆動パイプであっても従来よりも楽に動かせるということを特徴としている。この技術では垂直な温室壁面に対して駆動パイプが傾いた状態でもハンドル操作を行えるという利点があるものの、例えば温室のカーテンフィルムが屋根高所に張設されている場合に風量や風向き等によって波打つような状況では駆動パイプにブレが生じて開閉にも支障が出るという不測の事態に対応できるという問題解決は果たされない。【０００６】  特許文献２に示された巻き取り装置は、巻き上げ動作時に必要となる操作力を軽減するというものであり、そのためにハンドルが伸縮可能に設けられ、ハンドルを伸長させた状態で回転操作することにより回転半径が大きくなることを特徴としているが、この技術によると、シートを巻き上げるときのスピードと、シートを巻き戻すスピードが同一に設定されているため巻き戻しの所要時間が長くなるという不利と、ハンドルの腕の長さによっては作業者の体に触れやすく操作しづらいといった問題もある。【０００７】  上記した従来技術にみられるように、ハンドルの操作性向上という観点からはいずれもそれなりに所期する効果の達成が可能と考えられるが、その反面屋根カーテンフィルムのスムーズ且つ確実な開閉という観点からすると未だ十分な機能を備えたものとはなされない。【０００８】  本考案はこのような従来技術に鑑みてなされたもので、従来通りのハンドル操作でありながら作業者に負担とならず容易に巻き取り・巻き戻しができるため熟練を要さずにシートの開閉ができることはもちろん特に屋根用カーテン高所部ないしフィルム重量のあるもの、更には風向き風量の如何に関わらずカーテンフィルムが持ち上がることなく巻取軸が安定的に操作できるシート巻き取り装置を提供することを意図している。
【課題を解決するための手段】
【０００９】  そのために本考案は、入力軸と出力軸間に回転伝達手段を組み込んだケーシングを備え、入力軸が撓曲自在のジョイント金具を介して操作杆と連動するとともに、出力軸がシートを巻装した巻取軸を挿着してなるシート巻き取り装置において、ケーシング側面に取り付けた傾動自在な支承具に操作杆と連動するガイドパイプを挿通し、ガイドパイプの一端が温室に固定した軸受けを支点に可動して操作杆のバランスを保つことを特徴とする。
【考案の効果】
【００１０】  ハンドルの操作でケーシングが上下動して巻取軸が回動しカーテン開閉がされるとケーシング側面に位置する支承具が連動し、このとき支承具に挿通しているガイドパイプが軸受けを支点に傾動して所定の動きをするためケーシングはカーテンの重みや風向き・風量に関わらずぶれることがなくカーテンを確実に開閉する。すなわち温室高所のＲ形状をしたカーテンの場合操作杆が長くなるので不安定となり、従来は開閉に支障を生ずることもあったが、ガイドパイプの存在によってバランスが保たれそのような懸念は払拭される。
【図面の簡単な説明】
【００１１】
【図１】本考案の取り付け状態図である。
【図２】本考案の要部を示す正面図である。
【図３】同上の側面図である。
【図４】本考案の動きを矢線示した概略図である。
【考案を実施するための形態】
【００１２】  図面に基づき本考案実施の形態につき説明すると、図１〜図３に示すとおり温室１のＲ形状をした屋根部分に開閉自在のカーテンフィルム２（以下、フィルム）が掛装され、このフィルムは従来同様操作杆７端部のハンドル８を回すことでケーシング３に挿着した巻取軸４が可動して巻き取り巻き戻しされる。そしてケーシング３内部には入力軸５の動きを出力軸６に伝える回転伝達手段を組み込んであり、前記巻取軸４は前記出力軸６に挿着されている。なおケーシング内の回転伝達手段は従来の構成である歯車機構などを採用していて格別目新しいものではないため図及び説明は省略する。
【００１３】  ９は対称形をした上下部の半体１０・１０’からなるジョイント金具であり、内部にはワイヤー・バネ部材等の撓曲材（図示せず）を有し、入力軸５に固定された上部半体１０に対し下部半体１０が操作杆７の動きに応じて傾回動するがこれらの構成も従来の周知技術の手法を採っている。すなわちフィルム２の巻き取り巻き戻し操作は、操作杆７下端のハンドル９を回動することにより行われ、その際作業者の立ち位置に応じてジョイント金具９の下部半体１０’が上部半体１０を支点に傾回動するという機能を発揮するものである。
【００１４】  １１はケーシング３の側面に取り付けた傾動自在な支承具であって、この中にガイドパイプ１２が挿通されている。支承具１１はケーシング３に突設した固定軸１３に篏合されて自由回転し所定範囲を傾動するためガイドパイプ１２も支承具１１とともに傾動する。このガイドパイプ１２の一端部は温室に固定された軸受け１４を支点に可動するためその動きは常に一定でありケーシング３の動きがバランスを保つ。
【００１５】  ガイドパイプ１２の動きをスムーズにするため支承具１１の内部に、左右前後からガイドパイプ１２を挟むようにそろばん形のローラー（図示せず）を組み込ようにしている。こうすることによりガイドパイプ１２が支承具１１内を可動するたびにローラーが回転し、ガイドパイプ１２をスムーズに動かすことができる。
【００１６】  一般的なサイド巻き取り装置は固定したガイド部分があってカーテンフィルムの巻き戻しを抑えるが、サイド用と屋根用ではハンドルを取り付ける個所が異なるため従来技術ではガイドの取り付けが難しく、したがって高所の屋根用に用いる操作杆の押し上げ時にブレが生ずる不利は解消されないが、本考案ではケーシング３の動きに連動するガイドパイプ１２がケーシング３の妄動を未然に防止し、巻き上げ時には不測に巻き戻しがされないようにすることができる。
【００１７】  図４はケーシング３とガイドパイプ１２の動きの例を矢示したもので、ハンドル８を回すと操作杆７が回転し、ケーシング３が巻取軸４を回転させながらＲ形状の温室屋根に沿ってフィルム２を閉じる方向に動く。その際ケーシング３が高所に向かうのに伴い支承具１１も上昇してガイドパイプ１２が支承具１１内を移動し軸受け１１を支点に傾く。
【００１８】  そしてハンドル８を反対方向に回すとケーシング３がフィルム２を巻き取りながら温室屋根の下方に向かって移動しそれに伴ってガイドパイプが１２軸受け１４を支点に傾く。つまりケーシング３とともに動く巻取軸４の回転時にガイドパイプ１２が軸受け１４を支点に傾動するためカーテンフィルム２の重量や風圧などの外圧がかかってもケーシング３やジョイント金具９、更には操作杆７の動きはあたかもリンク機構的に正確な動作をするためカーテン開閉が頗るスムーズになされることになる。
【００１９】  上記したように本考案は温室の屋根用カーテンフィルムの巻き取り装置であるから温室のサイドフィルムには妥当しないものであり、したがって図１では本来サイド用装置が示されるところ説明の便宜上これを省略したものである。
【００２０】  また本案実施の形態では温室の一棟を例示してあるが、横方向に数棟並列する場合についても夫々に同様の装置を設けることは勿論であり、本考案の目的効果を奏する範囲において図示した以外の部材の組み合わせや構成等も本考案実施の範疇に属する。
【符号の説明】
【００２１】１      温室
２      フィルム
３      ケーシング
４      巻取軸
５      入力軸
６      出力軸
７      操作杆
８      ハンドル
９      ジョイント金具
１０    上部半体
１０’  下部半体
１１    支承具
１２    ガイドパイプ
１３    固定軸
１４    軸受け
【図１】
0003213537.tif 000003
【図２】
0003213537.tif 000004
【図３】
0003213537.tif 000005
【図４】
0003213537.tif 000006